(57)【要約】【課題】出湯温度の変更および変更確認の煩雑さを解消する。【解決手段】給湯機（３）は、流量検知部（３８）と温度調整部（３５ｓ）と出湯量変動部（３５ｖ）と制御部（３６）とを備える。出湯量調節部は、ユーザの手元での操作によりユーザの手元側の出湯口（３４）における出湯量を調節可能に、出湯口に湯水を送出する出湯回路（３５）に設けられる。流量検知部は、出湯量調節部の操作による出湯回路における流量変化を検知可能に設けられる。温度調整部は、流量検知部を用いた流量変化の検知結果に応じて出湯口における出湯温度を調整可能に、出湯回路に設けられる。出湯量変動部は、温度調整部による出湯温度の調整が実行される場合に、出湯量を所定の変動態様で変動させるように、出湯回路に設けられる。制御部は、流量変化の検知結果を取得して、温度調整部および出湯量変動部の動作を制御する。【選択図】図１
2020186901.tif 000002
【特許請求の範囲】
【請求項１】
ユーザの手元での操作により前記ユーザの手元側の出湯口（３４）における出湯量を調節可能に、前記出湯口に湯水を送出する出湯回路（３５）に設けられた、出湯量調節部（３５ｕ）と、
前記出湯量調節部の前記操作による前記出湯回路における流量変化を検知可能に設けられた、流量検知部（３８）と、
前記流量検知部を用いた前記流量変化の検知結果に応じて前記出湯口における出湯温度を調整可能に、前記出湯回路に設けられた、温度調整部（３５ｓ）と、
前記温度調整部による前記出湯温度の調整が実行される場合に、前記出湯量を所定の変動態様で変動させるように、前記出湯回路に設けられた、出湯量変動部（３５ｖ）と、
前記検知結果を取得して、前記温度調整部および前記出湯量変動部の動作を制御するように設けられた、制御部（３６）と、
を備えた給湯機。
【請求項２】
前記制御部は、前記流量変化における所定の変化態様を検知した場合に、前記温度調整部を制御して前記変化態様に応じて前記出湯温度を所定態様で変更させるとともに、前記出湯量変動部を制御して前記出湯量を少なくとも１回脈動させる、
請求項１に記載の給湯機。
【請求項３】
前記制御部は、前記出湯量変動部を制御して、前記出湯量を少なくとも２回脈動させる、
請求項２に記載の給湯機。
【請求項４】
前記出湯量変動部による変動後の前記出湯量が、変動前と略一致するように構成された、
請求項１〜３のいずれか１つに記載の給湯機。
【請求項５】
前記出湯回路は、屋外にて前記湯水を利用する屋外利用器具（６０）に前記湯水を供給可能に設けられた分岐出湯配管（３５ｄ３）を有し、
前記出湯量調節部および前記出湯口は、前記分岐出湯配管に設けられた、
請求項１〜４のいずれか１つに記載の給湯機。
【発明の詳細な説明】
【技術分野】
【０００１】
本発明は、給湯機に関する。
【背景技術】
【０００２】
内部に温水を貯留する貯湯タンクと、貯湯タンクを収容する筐体とを備え、貯湯タンク内に貯留された温水を供給する貯湯式給湯機において、貯湯タンク内に貯留された温水を取り出す取出口を筐体に設けた構成が知られている（例えば、特許文献１参照）。
【先行技術文献】
【特許文献】
【０００３】
【特許文献１】特開２０１２−２４０７号公報
【発明の概要】
【発明が解決しようとする課題】
【０００４】
特許文献１に記載の構成においては、例えば、ユーザが、貯湯タンクが設置されている屋外にて温水を利用中に、温水の温度を変更しようとした場合、温水の利用を一旦中断して、わざわざ遠隔制御装置であるリモコンの設置場所まで移動する必要があった。本発明は、上記に例示した事情等に鑑みてなされたものである。
【課題を解決するための手段】
【０００５】
請求項１に記載の給湯機（３）は、
ユーザの手元での操作により前記ユーザの手元側の出湯口（３４）における出湯量を調節可能に、前記出湯口に湯水を送出する出湯回路（３５）に設けられた、出湯量調節部（３５ｕ）と、
前記出湯量調節部の前記操作による前記出湯回路における流量変化を検知可能に設けられた、流量検知部（３８）と、
前記流量検知部を用いた前記流量変化の検知結果に応じて前記出湯口における出湯温度を調整可能に、前記出湯回路に設けられた、温度調整部（３５ｓ）と、
前記温度調整部による前記出湯温度の調整が実行される場合に、前記出湯量を所定の変動態様で変動させるように、前記出湯回路に設けられた、出湯量変動部（３５ｖ）と、
前記検知結果を取得して、前記温度調整部および前記出湯量変動部の動作を制御するように設けられた、制御部（３６）と、
を備えている。
【０００６】
上記構成においては、ユーザの手元での出湯量調節部の操作により、出湯口における出湯量、すなわち、出湯口に湯水を送出する出湯回路における湯水の流量を変化させることができる。かかる流量変化は、流量検知部を用いて検知される。制御部は、流量検知部を用いた流量変化の検知結果を取得して、温度調整部および出湯量変動部の動作を制御する。すなわち、制御部は、温度調整部を制御して、出湯温度を調整する。また、制御部は、温度調整部による出湯温度の調整が実行される場合に、ユーザの手元側の出湯口における出湯量を、所定の変動態様で変動させる。
【０００７】
このように、上記構成によれば、ユーザの手元での出湯量調節部の操作により所定の流量変化を作出することで、ユーザの手元側の出湯口における出湯温度を変更することが可能となる。また、ユーザは、かかる出湯温度の変更を、ユーザの手元側の出湯口における出湯量の変動態様によって確認することが可能となる。したがって、上記構成によれば、出湯温度の変更および変更確認の煩雑さが、良好に解消され得る。
【０００８】
具体的には、例えば、出湯温度の変更のための出湯量調節部の操作が実行されてから、実際にユーザの手元側の出湯口にて出湯温度が変化するまでには、所定の遅延時間が発生する。このため、ユーザの手元における湯水の温度変化によって、当該操作が有効に受け付けられたか否かを確認しようとすれば、当該操作から確認までの間に時間がかかってしまう。これに対し、上記構成によれば、出湯量変動部による出湯量の変動は、出湯温度の変化よりも迅速に、出湯口にてユーザにより確認され得る。このため、ユーザの手元における出湯量の変動の有無によって、出湯温度の変更のための出湯量調節部の操作が有効に受け付けられたか否かを、迅速に確認することが可能となる。
【０００９】
なお、上記および特許請求の範囲の欄における、各構成要素に付された括弧付きの参照符号は、同要素と後述する実施形態に記載された具体例との対応関係の単なる一例を示すものである。よって、本発明は、上記の参照符号の記載によって、何ら限定されるものではない。
【図面の簡単な説明】
【００１０】
【図１】実施形態に係る給湯機を備えた給湯システムの全体構成を示す概略図である。
【図２】図１に示された給湯機の外観を示す斜視図である。
【図３】図１に示された貯湯側制御装置の一動作例を示すフローチャートである。
【図４】図１に示された貯湯側制御装置の一動作例を示すタイムチャートである。
【図５】図１に示された貯湯側制御装置の一動作例を示すタイムチャートである。
【図６】図１に示された貯湯側制御装置の一動作例を示すタイムチャートである。
【発明を実施するための形態】
【００１１】
（実施形態）
以下、本発明の実施形態を、図面に基づいて説明する。なお、実施形態に対して適用可能な各種の変形例については、当該実施形態に関する一連の説明の途中に挿入されると、当該実施形態の理解が妨げられるおそれがある。このため、変形例については、一連の実施形態の説明の後に、まとめて記載する。
【００１２】
（給湯システム）
まず、図１および図２を参照しつつ、給湯システム１の全体構成について説明する。なお、説明の便宜上、本実施形態の構成における、前後左右上下の各方向を、図２において矢印で定義する。「後」および「後方」は、「背面」とも称され得る。
【００１３】
図１を参照すると、給湯システム１は、家屋等の建物に設置されることで、建物の内外に設置された各種機器に湯水を供給するように構成されている。「湯水」とは、湯すなわち温水と、常温または常温以下の温度の水とを含む概念である。本実施形態においては、給湯システム１には、ヒートポンプユニット２と、給湯機３と、混合栓４と、浴槽５とが設けられている。
【００１４】
温水生成装置としてのヒートポンプユニット２は、屋外すなわち建物の外側に設置されるようになっている。ヒートポンプユニット２は、給湯システム１の外部に設けられた給水源から導入された水道水である原水を含む低温水を加熱することで、温水を生成するように構成されている。低温水には、原水の他に、給湯機３に貯留された、目標温度（例えば９０℃）よりも低温の水が含まれる。
【００１５】
具体的には、ヒートポンプユニット２は、ヒートポンプサイクル２１と熱源側制御装置２２とを備えている。ヒートポンプサイクル２１は、いわゆる蒸気圧縮式の構成を有していて、不図示の電動圧縮機、水−冷媒熱交換器、膨張弁、冷媒蒸発器、等を備えている。本実施形態においては、ヒートポンプサイクル２１は、給湯機３側から供給された低温水を、二酸化炭素等の冷媒からの放熱により加温するように構成されている。熱源側制御装置２２は、いわゆるマイクロコンピュータにより構成されていて、ヒートポンプサイクル２１の動作を制御するように設けられている。
【００１６】
給湯機３は、屋外に設置されるようになっている。貯湯式の給湯機３は、ヒートポンプユニット２により生成された温水を貯留するとともに、貯留した温水を各部に供給可能に構成されている。給湯機３から温水の供給を受ける混合栓４および浴槽５は、屋内すなわち建物の内側に設置されるようになっている。
【００１７】
具体的には、給湯機３は、筐体３１と、貯湯タンク３２と、複数の配管ジョイント３３と、湯水取出部３４と、内部配管部３５と、貯湯側制御装置３６と、コントローラ３７と、流量センサ３８とを備えている。
【００１８】
筐体３１は、複数の金属製外壁パネルによって、箱状、具体的には上下方向に長手方向を有する略直方体状に形成されている。筐体３１は、複数の外壁パネルによって囲まれた内部空間内に貯湯タンク３２を収容するように構成されている。
【００１９】
図２を参照すると、筐体３１は、上面パネル３１ａと、底面パネル３１ｂと、側面パネル３１ｃと、前面パネル３１ｄとを有している。
【００２０】
上面パネル３１ａは、筐体３１の内部空間の上側を覆う外壁パネル部材であって、貯湯タンク３２の上方にて水平面に沿って延設されている。底面パネル３１ｂは、筐体３１の内部空間の下側を覆う外壁パネル部材であって、貯湯タンク３２の下方にて水平面に沿って延設されている。
【００２１】
側面パネル３１ｃは、筐体３１の内部空間の側方および後方を覆う外壁パネル部材であって、鉛直面に沿って延設されている。すなわち、側面パネル３１ｃは、貯湯タンク３２の側方および後方を覆うように設けられている。具体的には、３枚の側面パネル３１ｃが、平面視にて略Ｕ字状を形成するように配置されている。側面パネル３１ｃの上端部と上面パネル３１ａとは、ネジ等により固定されている。同様に、側面パネル３１ｃの下端部と底面パネル３１ｂとは、ネジ等により固定されている。
【００２２】
前面パネル３１ｄは、筐体３１の内部空間の前方を覆う外壁パネル部材であって、鉛直面に沿って延設されている。すなわち、前面パネル３１ｄは、貯湯タンク３２の前方を覆うように設けられている。前面パネル３１ｄの上端部と上面パネル３１ａとは、ネジ等により固定されている。前面パネル３１ｄの下端部は、底面パネル３１ｂよりも上方に設けられている。前面パネル３１ｄの下端部には、複数の配管ジョイント３３が設けられている。複数の配管ジョイント３３の詳細については後述する。
【００２３】
前面パネル３１ｄには、操作孔３１ｆおよび凹部３１ｇが形成されている。操作孔３１ｆは、略円形状に形成された貫通孔であって、凹部３１ｇの上方に設けられている。操作孔３１ｆは、ユーザが後述する湯水取出弁３５ｕを外側から操作可能に、湯水取出弁３５ｕに対応する位置に設けられている。
【００２４】
凹部３１ｇは、筐体３１の内側に窪むことで前方に向かって開口するように形成されている。凹部３１ｇには、湯水取出部３４が設けられている。湯水取出部３４の詳細については後述する。
【００２５】
再び図１を参照すると、湯水を貯留可能に構成された貯湯タンク３２は、耐食性に優れたステンレス等の金属によって形成されている。貯湯タンク３２は、不図示の断熱材によって覆われることで、内部に貯留した湯水を長時間にわたって保温することができるように構成されている。
【００２６】
貯湯タンク３２は、設置スペースを考慮して、縦長形状に形成されている。具体的には、貯湯タンク３２は、筒状部３２ａと、下側閉塞部３２ｂと、上側閉塞部３２ｃとを有している。
【００２７】
筒状部３２ａは、水平断面視にて略円形状に形成された略円筒状の部分であって、上下方向に延設されている。筒状部３２ａの下端は、ドーム状の下側閉塞部３２ｂによって閉塞されている。筒状部３２ａの上端は、ドーム状の上側閉塞部３２ｃによって閉塞されている。すなわち、貯湯タンク３２は、筒状部３２ａの上下を閉塞した構造を有している。
【００２８】
貯湯タンク３２は、冷水入口部３２ｄと、低温水出口部３２ｅと、温水入口部３２ｆと、温水出口部３２ｇとを有している。冷水入口部３２ｄおよび低温水出口部３２ｅは、下側閉塞部３２ｂに設けられている。温水入口部３２ｆおよび温水出口部３２ｇは、上側閉塞部３２ｃに設けられている。
【００２９】
筐体３１には、冷水導入ジョイント３３ａと、低温水導出ジョイント３３ｂと、温水導入ジョイント３３ｃと、混合栓給湯ジョイント３３ｄと、浴槽給湯ジョイント３３ｅと、を含む、複数の配管ジョイント３３が固定されている。複数の配管ジョイント３３は、筐体３１の外部に設けられた複数の外部配管と筐体３１の内部に設けられた内部配管部３５との接続箇所に設けられている。すなわち、複数の配管ジョイント３３の各々は、給湯機３と外部とを接続するための外部配管を着脱可能に構成されている。
【００３０】
冷水導入ジョイント３３ａは、貯湯タンク３２における冷水入口部３２ｄと接続されている。すなわち、冷水導入ジョイント３３ａは、給水源に接続され原水が通流する外部給水配管と接続されることで、貯湯タンク３２の底部に原水を供給するように設けられている。
【００３１】
低温水導出ジョイント３３ｂは、貯湯タンク３２における低温水出口部３２ｅと接続されている。すなわち、低温水導出ジョイント３３ｂは、ヒートポンプユニット２における低温水取水口との接続配管と接続されることで、貯湯タンク３２の底部に貯留された低温水をヒートポンプユニット２に供給するように設けられている。
【００３２】
温水導入ジョイント３３ｃは、貯湯タンク３２における温水入口部３２ｆと接続されている。すなわち、温水導入ジョイント３３ｃは、ヒートポンプユニット２における温水供給口との接続配管と接続されることで、ヒートポンプユニット２にて生成された温水を貯湯タンク３２に供給するように設けられている。
【００３３】
混合栓給湯ジョイント３３ｄおよび浴槽給湯ジョイント３３ｅは、貯湯タンク３２における温水出口部３２ｇと接続されている。すなわち、混合栓給湯ジョイント３３ｄは、混合栓４との接続配管と接続されることで、混合栓４に湯水を供給するように設けられている。同様に、浴槽給湯ジョイント３３ｅは、浴槽５との接続配管と接続されることで、浴槽５に湯水を供給するように設けられている。
【００３４】
混合栓４は、浴槽５とともに、不図示の浴室に設けられている。混合栓４には、混合栓給湯ジョイント３３ｄとの接続配管である外部給湯配管に加えて、給水源に接続され原水が通流する外部給水配管管と接続されている。すなわち、混合栓４は、混合栓給湯ジョイント３３ｄからの湯水と外部給水配管からの原水との混合比を調整することで温度調整可能に構成されている。
【００３５】
湯水取出部３４は、屋外にて作業するユーザの手元側の出湯口であって、筐体３１に固定されている。湯水取出部３４は、屋外における給湯機３の周囲にて湯水を用いた作業（例えば洗車等）を行う際に、貯湯タンク３２に貯留された温水を含む湯水を筐体３１の外部に取り出し可能に設けられている。湯水取出部３４から排出される湯水を、以下「取出湯水」と称する。
【００３６】
具体的には、湯水取出部３４は、略円筒状に形成されている。図１および図２を参照すると、湯水取出部３４は、凹部３１ｇにて、筐体３１の外部に露出するように設けられている。湯水取出部３４は、略全体が凹部３１ｇに収容されている。具体的には、湯水取出部３４は、その全体が凹部３１ｇに収容されているか、あるいは、先端部の一部が凹部３１ｇの外部に突出するだけでその他の大部分が凹部３１ｇに収容されている。
【００３７】
すなわち、通常、筐体３１の外壁面と筐体３１を梱包する梱包材の内側面との間には、電源スイッチのカバー、設置工事説明書、等を収容するための空間が形成されている。このため、湯水取出部３４は、凹部３１ｇから全く突出しないか、あるいは、わずかに突出した部分が少なくとも筐体３１の外壁面と筐体３１を梱包する梱包材の内側面との間に形成される隙間に収まるように設けられている。
【００３８】
貯湯タンク３２と、湯水取出部３４および複数の配管ジョイント３３の各々とは、内部配管部３５を介して接続されている。湯水取出部３４および複数の配管ジョイント３３に湯水を送出する出湯回路を構成する内部配管部３５は、複数の配管部材および弁等によって形成されている。以下、内部配管部３５の具体的構成について説明する。
【００３９】
貯湯タンク３２における冷水入口部３２ｄと、冷水導入ジョイント３３ａとは、給水配管３５ａを介して接続されている。すなわち、給水配管３５ａは、筐体３１の外部に設けられた給水源に接続されることで原水を導入可能に、筐体３１内に設けられている。
【００４０】
同様に、貯湯タンク３２における低温水出口部３２ｅと、低温水導出ジョイント３３ｂとは、加温用水配管３５ｂを介して接続されている。また、貯湯タンク３２における温水入口部３２ｆと、温水導入ジョイント３３ｃとは、貯湯配管３５ｃを介して接続されている。
【００４１】
貯湯タンク３２における温水出口部３２ｇには、給湯配管３５ｄが接続されている。すなわち、筐体３１内に設けられた給湯配管３５ｄは、貯湯タンク３２に貯留された温水を貯湯タンク３２の外部に取り出し可能に、貯湯タンク３２と接続されている。
【００４２】
給湯配管３５ｄは、主出湯配管３５ｄ１と浴槽給湯配管３５ｄ２とに分岐している。混合栓給湯ジョイント３３ｄは、主出湯配管３５ｄ１における末端部と接続されている。浴槽給湯ジョイント３３ｅは、浴槽給湯配管３５ｄ２における末端部と接続されている。
【００４３】
また、主出湯配管３５ｄ１から分岐するように、分岐出湯配管３５ｄ３が設けられている。分岐出湯配管３５ｄ３は、屋外にて湯水を利用する後述の屋外利用器具６０に湯水を供給可能に、湯水取出部３４と接続されている。すなわち、分岐出湯配管３５ｄ３の末端部には、湯水取出部３４が接続されている。
【００４４】
給水配管３５ａから分岐するように、分岐給水配管３５ｆが設けられている。分岐給水配管３５ｆは、混合栓側分岐管３５ｇ１と浴槽側分岐管３５ｇ２とに分岐している。混合栓側分岐管３５ｇ１は、主出湯配管３５ｄ１における、浴槽給湯配管３５ｄ２の分岐位置よりも上流側の部分と接続されている。浴槽側分岐管３５ｇ２は、浴槽給湯配管３５ｄ２における、主出湯配管３５ｄ１からの分岐位置よりも下流側の部分と接続されている。
【００４５】
給湯配管３５ｄから分岐するように、圧力リリーフ管３５ｈが設けられている。圧力リリーフ管３５ｈには、リリーフ弁３５ｒが介装されている。リリーフ弁３５ｒは、貯湯タンク３２の内部圧力が所定圧力以上に上昇した際に開弁することで、貯湯タンク３２の内部の温水を外部に排出するように設けられている。
【００４６】
主出湯配管３５ｄ１と混合栓側分岐管３５ｇ１との接続箇所すなわち合流箇所には、混合栓側温調弁３５ｓが介装されている。温度調整弁である混合栓側温調弁３５ｓは、混合栓給湯ジョイント３３ｄおよび湯水取出部３４における出湯温度を調整可能に設けられている。混合栓側温調弁３５ｓは、主出湯配管３５ｄ１からの温水流入量と混合栓側分岐管３５ｇ１からの原水流入量との調整状態に応じた出湯温度の湯水を、混合栓給湯ジョイント３３ｄおよび湯水取出部３４に向けて排出するように構成されている。
【００４７】
具体的には、混合栓側温調弁３５ｓは、電動調整弁であって、給湯配管３５ｄ側に連通する温水側の開度と混合栓側分岐管３５ｇ１側に連通する原水側の開度との比率を、貯湯側制御装置３６の制御下で調整するように構成されている。本発明の温度調整部を構成する混合栓側温調弁３５ｓは、流量センサ３８を用いた流量変化の検知結果に応じて貯湯側制御装置３６により開度を制御されることで、出湯温度を調整可能に設けられている。
【００４８】
浴槽給湯配管３５ｄ２と浴槽側分岐管３５ｇ２との接続箇所すなわち合流箇所には、浴槽側温調弁３５ｔが介装されている。浴槽側温調弁３５ｔは、電動調整弁であって、給湯配管３５ｄ側に連通する温水側の開度と浴槽側分岐管３５ｇ２側に連通する原水側の開度との比率を、貯湯側制御装置３６の制御下で調整するように構成されている。すなわち、浴槽側温調弁３５ｔは、主出湯配管３５ｄ１からの温水流入量と混合栓側分岐管３５ｇ１からの原水流入量との調整状態に応じた出湯温度の湯水を、浴槽給湯ジョイント３３ｅ側に送出するように設けられている。
【００４９】
上記の通り、湯水取出部３４は、混合栓側温調弁３５ｓから排出された湯水のうちの少なくとも一部を取出湯水として筐体３１の外部に取り出し可能に、分岐出湯配管３５ｄ３を介して混合栓側温調弁３５ｓと接続されている。また、分岐出湯配管３５ｄ３には、湯水取出弁３５ｕが介装されている。湯水取出弁３５ｕは、分岐出湯配管３５ｄ３における取出湯水の流量である取出流量を調整可能に設けられている。具体的には、本発明における出湯量調節部を構成する湯水取出弁３５ｕは、ユーザの手元での操作により湯水取出部３４における出湯量を調節可能に構成された手動調整弁であって、調整開度に応じた取出流量の取出湯水を湯水取出部３４側に送出するように設けられている。
【００５０】
分岐出湯配管３５ｄ３には、湯水取出部３４および湯水取出弁３５ｕに加えて、出湯量変動部３５ｖが設けられている。出湯量変動部３５ｖは、後述するユーザの手元での出湯温度変更操作が有効に受け付けられて、混合栓側温調弁３５ｓによる出湯温度の調整すなわち変更が実行される場合に、出湯量を所定の変動態様で変動させるように設けられている。
【００５１】
本実施形態においては、出湯量変動部３５ｖは、湯水取出弁３５ｕと一体的に設けられている。具体的には、出湯量変動部３５ｖは、湯水取出弁３５ｕにおける流入口または流出口に設けられたソレノイド弁であって、通電状態に応じて流路断面積を変更可能に構成されている。
【００５２】
貯湯側制御装置３６は、熱源側制御装置２２およびコントローラ３７と、信号授受可能に電気接続されている。また、貯湯側制御装置３６は、内部配管部３５に介装された混合栓側温調弁３５ｓおよび出湯量変動部３５ｖ等の各種制御対象機器と、信号授受可能に電気接続されている。
【００５３】
貯湯側制御装置３６は、いわゆるマイクロコンピュータであって、不図示のＣＰＵ、ＲＯＭ、ＲＡＭ、不揮発性リライタブルメモリ、入出力インタフェース、等を備えている。ＣＰＵはCentral  Processing  Unitの略である。ＲＯＭはRead  Only  Memoryの略である。不揮発性リライタブルメモリは、例えば、ＥＰＲＯＭ、ＥＥＰＲＯＭ、フラッシュメモリ、等である。ＥＰＲＯＭはErasable  Programmable  Read  Only  Memoryの略である。ＥＥＰＲＯＭはElectrically  Erasable  Programmable  Read  Only  Memoryの略である。ＲＡＭはRandom  access  memoryの略である。ＲＯＭ、不揮発性リライタブルメモリ、およびＲＡＭは、非遷移的実体的記憶媒体である。
【００５４】
貯湯側制御装置３６は、ＣＰＵがＲＯＭまたは不揮発性リライタブルメモリからプログラムを読み出して実行することで、各種の制御動作を実現可能に構成されている。ＲＯＭまたは不揮発性リライタブルメモリには、プログラムの実行の際に用いられる各種のデータが、あらかじめ格納されている。ＲＯＭまたは不揮発性リライタブルメモリにあらかじめ格納される各種のデータは、例えば、初期値、ルックアップテーブル、マップ、等である。ＲＡＭおよび不揮発性リライタブルメモリは、ＣＰＵがプログラムを実行する際に、設定結果および計算結果等のデータを一時的に格納するようになっている。
【００５５】
貯湯側制御装置３６は、混合栓側温調弁３５ｓの動作を制御することで、混合栓４および湯水取出部３４に対する出湯温度を調整するように設けられている。同様に、貯湯側制御装置３６は、浴槽側温調弁３５ｔの動作を制御することで、浴槽５に対する出湯温度を調整するように設けられている。また、本発明の制御部を構成する貯湯側制御装置３６は、出湯量変動部３５ｖの動作を制御するように設けられている。貯湯側制御装置３６による出湯量変動部３５ｖの動作制御の詳細については後述する。
【００５６】
コントローラ３７は、出湯温度の設定を含むユーザの入力操作を受け付ける入力装置であって、屋内および／または屋外の所定位置に設けられている。具体的には、コントローラ３７は、給湯温度等を設定するための操作部と、操作部の操作状態および給湯温度等の設定状態を表示するための表示部とを有している。貯湯側制御装置３６は、コントローラ３７を介して受け付けたユーザ入力に応じて、上記の各種制御対象機器の動作を制御するように構成されている。
【００５７】
検出部としての流量センサ３８は、湯水取出弁３５ｕの操作による内部配管部３５における流量変化を検知可能に設けられている。すなわち、流量センサ３８は、取出流量に対応する出力（例えば電圧）を発生するように、取出湯水が湯水取出部３４に向かう通流経路に介装されている。具体的には、本実施形態においては、流量センサ３８は、主出湯配管３５ｄ１における分岐出湯配管３５ｄ３の分岐位置よりも上流側且つ混合栓側温調弁３５ｓの介装位置よりも下流側に設けられている。貯湯側制御装置３６は、流量センサ３８の出力に基づいて、取出流量およびその変化を取得すなわち検知するようになっている。
【００５８】
流量センサ３８は、発生した出力を貯湯側制御装置３６に入力可能に、貯湯側制御装置３６と電気接続されている。すなわち、貯湯側制御装置３６は、取出流量変化の検知結果を取得して、混合栓側温調弁３５ｓおよび出湯量変動部３５ｖの動作を制御するように設けられている。
【００５９】
具体的には、貯湯側制御装置３６は、取出流量変化における所定の変化態様を検知した場合に、混合栓側温調弁３５ｓを制御して、当該変化態様に応じて湯水取出部３４における取出湯水の出湯温度を所定態様で変更するようになっている。また、貯湯側制御装置３６は、上記の変化態様を検知して混合栓側温調弁３５ｓが出湯温度を調整する場合に、出湯量変動部３５ｖを制御して、取出流量を少なくとも１回脈動させるようになっている。本実施形態においては、貯湯側制御装置３６は、出湯温度変更操作が有効に受け付けられたことをユーザに確実に認識させるため、取出流量を少なくとも２回脈動させるようになっている。
【００６０】
湯水取出部３４は、取出湯水をユーザが屋外で利用するための屋外利用器具６０に湯水を供給可能に設けられている。屋外利用器具６０は、操作ボタン６１を有している。操作ボタン６１は、屋外利用器具６０からの取出湯水の吐出の許可と停止とを切り換え可能に設けられている。屋外利用器具６０は、外部取出配管６２を介して湯水取出部３４と接続されるようになっている。
【００６１】
（動作概要）
次に、本実施形態の構成による動作概要および効果について、湯水取出部３４における取出湯水の取り出し動作を中心として説明する。
【００６２】
給湯システム１が起動されると、貯湯タンク３２における貯留量が所定量に到達するまで、給湯システム１の外部に設けられた給水源から原水が貯湯タンク３２に導入される。また、貯湯タンク３２の底部に貯留された低温水が、ヒートポンプユニット２に送出される。ヒートポンプユニット２に送出された低温水は、ヒートポンプサイクル２１によって加温されることで温水となる。ヒートポンプユニット２にて生成された温水は、貯湯タンク３２の上部に導入される。
【００６３】
給湯システム１の起動から所定時間経過後に、貯湯タンク３２に貯留された温水は、目標温度（例えば９０℃）に到達する。これにより、給湯機３から各部への給湯が可能となる。
【００６４】
ユーザは、コントローラ３７を用いて、混合栓４および浴槽５に対する出湯温度を設定することが可能である。貯湯側制御装置３６は、コントローラ３７により設定された出湯温度に基づいて、混合栓側温調弁３５ｓおよび浴槽側温調弁３５ｔにおける調整状態を制御する。これにより、混合栓４および浴槽５に対する出湯温度が調整される。
【００６５】
ユーザが湯水取出部３４から取出湯水を取り出す場合、ユーザは、湯水取出弁３５ｕを開弁操作する。すると、混合栓側温調弁３５ｓにおける温水流入量と原水流入量との調整状態に応じた出湯温度、且つ、湯水取出弁３５ｕの開度に応じた取出流量の取出湯水が、混合栓側温調弁３５ｓから分岐出湯配管３５ｄ３を介して湯水取出部３４に通流し、湯水取出部３４から排出される。
【００６６】
分岐出湯配管３５ｄ３における取出湯水の流量である取出流量は、湯水取出弁３５ｕを用いて、あるいは、屋外利用器具６０の操作ボタン６１を用いて、ユーザの手元で調整可能である。よって、操作ボタン６１の操作により屋外利用器具６０からの取出湯水の吐出が許可されている場合、湯水取出弁３５ｕを用いて調整された取出流量で、湯水取出部３４から取出湯水が筐体３１の外部に取り出される。湯水取出部３４から取出湯水が筐体３１の外部に取り出されると、流量センサ３８は、取出流量に対応する出力を発生する。
【００６７】
ユーザが、湯水取出部３４から取出湯水を取り出して利用している最中に、取出湯水の出湯温度を変更したくなる場合がある。この場合、従来の給湯システム１および給湯機３においては、ユーザが取出湯水の利用を一旦中断して、わざわざコントローラ３７の設置場所まで移動し、コントローラ３７における入力操作を行う必要があった。
【００６８】
この点、本実施形態においては、ユーザが湯水取出部３４から取出湯水を取り出して利用している最中に、取出湯水の出湯温度を変更する場合、ユーザは、屋外利用器具６０の操作ボタン６１または湯水取出弁３５ｕを用いて、所定の取出流量の変化を作出する。すると、貯湯側制御装置３６は、流量センサ３８の出力により取得した取出流量変化における所定の変化態様を検知する。すると、貯湯側制御装置３６は、混合栓側温調弁３５ｓを制御して、温水流入量と原水流入量との調整状態を変更することで、出湯温度を調整すなわち変更する。
【００６９】
以下、図３に示したフローチャートと、図４および図５に示したタイムチャートとを用いて、本実施形態による出湯温度変更の一具体例を示す。図３において、「Ｓ」は「ステップ」の略である。図４および図５において、Ｆは、流量センサ３８の出力に基づいて取得される取出流量を示し、θは出湯温度を示し、ｔは時間を示す。また、貯湯側制御装置３６のＣＰＵ、ＲＯＭ、ＲＡＭ、および不揮発性ＲＡＭを、以下単に、ＣＰＵ、ＲＯＭ、ＲＡＭ、および不揮発性リライタブルメモリと称する。
【００７０】
ＣＰＵは、取出流量Ｆが所定の下側閾値Ｆth_dを超えた場合に、湯水取出部３４からの出湯を検知し、ＲＯＭまたは不揮発性リライタブルメモリから図３に示されたルーチンに対応するプログラムを読み出して起動する。このルーチンが起動されると、まず、ステップ３０１にて、ＣＰＵは、湯水取出部３４からの出湯が一定時間（例えば３秒）検知されたか否かを判定する。具体的には、ＣＰＵは、流量センサ３８の出力に基づいて算出される取出流量Ｆの、一定時間内の積算値が、所定値を超えたか否かを判定する。
【００７１】
湯水取出部３４からの出湯が一定時間検知された場合（すなわちステップ３０１＝Ｙｅｓ）、ＣＰＵは、処理をステップ３０２に進行させる。一方、湯水取出部３４からの出湯が一定時間検知されてはいない場合（すなわちステップ３０１＝Ｎｏ）、ＣＰＵは、処理をステップ３０１に戻す。
【００７２】
ステップ３０２にて、ＣＰＵは、所定時間Ｔ１内の流量変化を検知する。すなわち、ＣＰＵは、所定時間Ｔ内の取出流量Ｆの変化態様を取得して、ＲＡＭに格納する。次に、ステップ３０３にて、ＣＰＵは、ステップ３０２にて検知した取出流量Ｆの変化態様が所定の流量変化パターンに合致するか否かを判定する。すなわち、ＣＰＵは、ステップ３０２にて取得した取出流量Ｆの変化態様が、出湯温度変更操作に対応する所定パターンであるか否かを判定する。
【００７３】
流量変化が所定の流量変化パターンに合致する場合（すなわちステップ３０３＝Ｙｅｓ）、ＣＰＵは、処理をステップ３０４に進行さる。ステップ３０４にて、ＣＰＵは、変化パターンに応じて混合栓側温調弁３５ｓを制御して、出湯温度を変更する。一方、流量変化が所定の流量変化パターンに合致しない場合（すなわちステップ３０３＝Ｎｏ）、ＣＰＵは、処理をステップ３０１に戻す。
【００７４】
本実施形態においては、所定の流量変化パターンは、温度低下用パターンと温度上昇用パターンとの２種類が用いられる。図４は、温度低下用パターンを示す。図５は、温度上昇用パターンを示す。温度低下用パターンの場合、ＣＰＵは、出湯温度を１℃低下させる。一方、温度上昇用パターンの場合、ＣＰＵは、出湯温度を１℃上昇させる。
【００７５】
図４に示されているように、温度低下用パターンにおいては、絞り回数が２回である。一方、図５に示されているように、温度上昇用パターンにおいては、絞り回数が３回である。「絞り回数」とは、最初の絞り動作が観測された時刻ｔ１から所定時間Ｔ１（例えば１秒）経過までの間の、絞り動作の回数である。「絞り動作」とは、取出流量Ｆが下側閾値Ｆth_dを超えた値から所定の上側閾値Ｆth_u未満の入力絞り流量Ｆd1に一旦低下して再び下側閾値Ｆth_dを超えた値に復帰するように、取出流量を調整する動作である。絞り動作は、湯水取出弁３５ｕを用いて、あるいは、屋外利用器具６０の操作ボタン６１を用いて、ユーザの手元での操作で行われる。なお、入力絞り流量Ｆd1は、手動操作により作出されるため、湯水取出弁３５ｕを用いた場合は通常は一定値とはならない。これに対し、屋外利用器具６０の操作ボタン６１を用いた場合、通常、０あるいは０に近い一定値となる。
【００７６】
ステップ３０４の処理の後、ＣＰＵは、処理をステップ３０５に進行させる。ステップ３０５にて、ＣＰＵは、出湯温度変更操作が有効に受け付けられて出湯温度変更動作が実行されたことをユーザに通知するため、出湯量変動部３５ｖの開閉制御による出湯量変動制御を実行する。
【００７７】
本実施形態においては、図４および図５に示されているように、ＣＰＵは、出湯温度変更操作における流量変化パターンと同様の流量変化パターンを、制御開始時刻ｔ２から所定時間Ｔ２（例えば１秒）経過までの間に生成する。制御開始時刻ｔ２は、混合栓側温調弁３５ｓによる出湯温度の変更制御、および、出湯量変動部３５ｖの開閉制御の開始時刻である。
【００７８】
具体的には、図４に示されているように、温度低下用パターンに対応する出湯温度変更操作が有効に受け付けられた場合、出湯量変動部３５ｖにより絞り動作が２回実行される。一方、図５に示されているように、温度上昇用パターンに対応する出湯温度変更操作が有効に受け付けられた場合、出湯量変動部３５ｖにより絞り動作が３回実行される。かかる出湯温度変更通知動作における、絞り動作中の取出流量である出力絞り流量Ｆd2は、出湯量変動部３５ｖにより自動的に作出されるため、通常、０あるいは０に近い一定値となる。
【００７９】
本実施形態においては、出湯温度変更操作における絞り回数と、出湯温度変更通知動作における絞り回数とが、一致している。これにより、ユーザは、自己の手元による出湯温度変更操作が、自己の意図通りに有効に受け付けられたことを、簡易且つ迅速に確認することができる。
【００８０】
図４および図５において、θｒは、変更前の出湯温度を示す。また、θｄは、１回の温度低下操作による低下後の出湯温度を示す。θｕは、１回の温度上昇操作による上昇後の出湯温度を示す。実線は、出湯温度の制御指令値を示す。一点鎖線は、実際の温度変化を示す。
【００８１】
図４および図５にて一点鎖線で示されているように、出湯温度変更操作が実行されてから、実際にユーザの手元側の出湯口である湯水取出部３４あるいは屋外利用器具６０にて、ユーザにより認識可能な程度に出湯温度が変化するまでには、所定の遅延時間が発生する。このため、ユーザの手元における湯水の温度変化によって、当該操作が有効に受け付けられたか否かを確認しようとすれば、当該操作から確認までの間に時間がかかってしまう。
【００８２】
これに対し、出湯量変動部３５ｖによる取出流量の変動は、出湯温度の変化よりも迅速に、湯水取出部３４あるいは屋外利用器具６０にてユーザにより確認され得る。このため、ユーザの手元における出湯量の変動の有無によって、出湯温度変更操作が有効に受け付けられたか否かを、迅速に確認することが可能となる。
【００８３】
ステップ３０６にて、ＣＰＵは、湯水取出部３４からの出湯が終了したか否かを判定する。具体的には、ＣＰＵは、取出流量Ｆが上側閾値Ｆth_u未満の状態が、一定時間連続したか否かを判定する。湯水取出部３４からの出湯が終了していない場合（すなわちステップ３０６＝Ｎｏ）、ＣＰＵは、処理をステップ３０１に戻す。一方、湯水取出部３４からの出湯が終了した場合（すなわちステップ３０６＝Ｙｅｓ）、ＣＰＵは、ステップ３０７の処理を実行後、本ルーチンを終了する。ステップ３０７にて、ＣＰＵは、出湯温度を、湯水取出部３４からの出湯が開始される前の値に復帰させる。
【００８４】
本実施形態においては、ユーザの手元での湯水取出弁３５ｕの操作により、湯水取出部３４および屋外利用器具６０における出湯量、すなわち、これらに湯水を送出する分岐出湯配管３５ｄ３における湯水の流量を変化させることができる。かかる流量変化は、流量センサ３８を用いて検知される。貯湯側制御装置３６は、流量変化の検知結果を取得して、混合栓側温調弁３５ｓおよび出湯量変動部３５ｖの動作を制御する。すなわち、貯湯側制御装置３６は、混合栓側温調弁３５ｓを制御して、出湯温度を調整する。また、貯湯側制御装置３６は、混合栓側温調弁３５ｓによる出湯温度の調整が実行される場合に、ユーザの手元側の出湯口である湯水取出部３４および屋外利用器具６０における出湯量を、所定の変動態様で変動させる。
【００８５】
本実施形態によれば、取出流量Ｆにおける所定の変化態様に対応する、取出流量の変化を、湯水取出弁３５ｕまたは屋外利用器具６０の操作ボタン６１により作出することで、ユーザの手元側の出湯口である湯水取出部３４および屋外利用器具６０における出湯温度を変更することが可能となる。したがって、上記構成によれば、ユーザは、湯水取出部３４における取出湯水の取り出しを継続しつつ、取出湯水の出湯温度を変更することが可能となる。また、ユーザは、かかる出湯温度の変更を、ユーザの手元側の出湯口である湯水取出部３４および屋外利用器具６０における出湯量の変動態様によって確認することが可能となる。このため、ユーザは、表示および／または音声による確認が可能なコントローラ３７から離れた位置で、屋外利用器具６０を用いて湯水を利用している場合であっても、出湯温度の変更および変更確認を良好に行うことができる。したがって、本実施形態によれば、出湯温度の変更および変更確認の煩雑さが、良好に解消され得る。
【００８６】
本実施形態においては、貯湯側制御装置３６は、流量変化における所定の変化態様を検知した場合に、混合栓側温調弁３５ｓを制御して変化態様に応じて出湯温度を所定態様で変更させるとともに、出湯量変動部３５ｖを制御して出湯量を少なくとも１回脈動させる。したがって、ユーザは、出湯温度の変更を容易に確認することが可能となる。
【００８７】
本実施形態においては、貯湯側制御装置３６は、出湯量変動部３５ｖを制御して、出湯量を少なくとも２回脈動させる。したがって、ユーザは、出湯温度の変更を容易に確認することが可能となる。
【００８８】
本実施形態においては、給湯機３は、出湯量変動部３５ｖによる変動後の出湯量が、変動前と略一致するように構成されている。具体的には、出湯量変動部３５ｖは、混合栓側温調弁３５ｓおよび湯水取出弁３５ｕとは独立に流量を調整可能なソレノイド弁によって構成されている。したがって、出湯温度の変更および変更確認のための動作に伴って、ユーザが意図しない流量変化が生じることが、良好に抑制され得る。
【００８９】
本実施形態においては、出湯回路としての内部配管部３５は、屋外にて湯水を利用する屋外利用器具６０に湯水を供給可能に設けられた分岐出湯配管３５ｄ３を有している。そして、湯水取出弁３５ｕおよび湯水取出部３４は、分岐出湯配管３５ｄ３に設けられている。したがって、ユーザは、屋外にて屋外利用器具６０を用いて湯水を利用する際に、出湯温度を手元で簡易に変更することができるとともに、出湯温度の変更を手元で容易に確認することが可能となる。
【００９０】
（変形例）
本発明は、上記実施形態に限定されるものではない。故に、上記実施形態に対しては、適宜変更が可能である。以下、代表的な変形例について説明する。以下の変形例の説明においては、上記実施形態との相違点を主として説明する。また、上記実施形態と変形例とにおいて、互いに同一または均等である部分には、同一符号が付されている。したがって、以下の変形例の説明において、上記実施形態と同一の符号を有する構成要素に関しては、技術的矛盾または特段の追加説明なき限り、上記実施形態における説明が適宜援用され得る。
【００９１】
本発明は、上記実施形態にて示された具体的な装置構成に限定されない。すなわち、例えば、給湯システム１は、ヒートポンプユニット２を備えた構成に限定されない。具体的には、本発明の給湯機３は、例えば、温水生成装置として電気ヒータ等の電熱装置を備える給湯システム１に対しても適用可能である。また、給湯機３は、貯湯式に限定されない。
【００９２】
混合栓４は、浴室外に設けられていてもよい。あるいは、複数の混合栓４のうちの１つが、浴室に設けられていてもよい。
【００９３】
湯水取出部３４は、側面パネル３１ｃに配設されていてもよい。
【００９４】
上記実施形態においては、出湯量変動部３５ｖは、湯水取出弁３５ｕと一体的に設けられていた。しかしながら、本発明は、かかる態様に限定されない。すなわち、例えば、出湯量変動部３５ｖは、混合栓側温調弁３５ｓと一体的に設けられていてもよい。この場合、流量の変動すなわち脈動は、混合栓４のユーザにも認識可能となる。これにより、屋外利用器具６０のユーザによる出湯温度変更操作による出湯温度の変更が、混合栓４のユーザにも認識可能となる。
【００９５】
流量センサ３８の介装位置は、適宜変更され得る。例えば、流量センサ３８は、図１に示された位置に代えて、あるいはこれとともに、分岐出湯配管３５ｄ３に介装され得る。
【００９６】
流量センサ３８は、屋外利用器具６０または外部取出配管６２に介装された「外付け」のセンサであってもよい。かかる構成によれば、既存の給湯システム１に対して、外付けの流量センサ３８を追加するとともに、貯湯側制御装置３６における不揮発性リライタブルメモリに格納されたプログラムをアップデートするだけで、既存の給湯システム１を本発明の効果を奏することが可能なシステム構成に改造することが可能となる。
【００９７】
上記実施形態にて示された具体的な動作態様に限定されない。例えば、図５のタイムチャートに代えて、図６のタイムチャートが用いられ得る。図５の例においては、温度上昇用パターンに対応する出湯温度変更操作が有効に受け付けられた場合、出湯量変動部３５ｖにより絞り動作が２回実行される。すなわち、出湯温度変更通知動作における絞り回数は、温度低下時と温度上昇時とで同一であってもよい。
【００９８】
上記実施形態においては、絞り回数に応じて出湯温度の変化方向を設定していた。具体的には、上記実施形態においては、絞り回数が２回の場合に出湯温度を１℃低下させる一方、絞り回数が３回の場合に出湯温度を１℃上昇させていた。しかしながら、本発明は、かかる態様に限定されない。
【００９９】
すなわち、例えば、絞り回数が偶数の場合に回数に応じた度合いで出湯温度を上昇させる一方、絞り回数が奇数の場合に回数に応じた度合いで出湯温度を低下させてもよい。この場合、具体的には、絞り回数が１回で１℃低下、２回で１℃上昇、３回で２℃低下、４回で２℃上昇となる。
【０１００】
例えば、貯湯側制御装置３６は、絞り回数を所定回数（例えば２回）検知する毎に、出湯温度を、３０℃と４０℃との間で交互に切り換えてもよい。あるいは、例えば、貯湯側制御装置３６は、絞り回数を所定回数（例えば２回）検知する毎に、出湯温度を、３０℃→４０℃→５０℃→３０℃→４０℃…のように、サイクリックに出湯温度を変更してもよい。
【０１０１】
変形例も、上記の例示に限定されない。また、複数の変形例が、互いに組み合わされ得る。さらに、上記実施形態の全部または一部と、変形例の全部または一部とが、互いに組み合わされ得る。
【０１０２】
上記実施形態および変形例を構成する要素は、特に必須であると明示した場合および原理的に明らかに必須であると考えられる場合等を除き、必ずしも必須のものではないことは言うまでもない。また、構成要素の個数、数値、量、範囲等の数値が言及されている場合、特に必須であると明示した場合および原理的に明らかに特定の数に限定される場合等を除き、その特定の数に本発明が限定されることはない。同様に、構成要素等の形状、方向、位置関係等が言及されている場合、特に必須であると明示した場合および原理的に特定の形状、方向、位置関係等に限定される場合等を除き、その形状、方向、位置関係等に本発明が限定されることはない。
【０１０３】
（まとめ）
上述の実施形態の一部または全部で示された第１の観点において、給湯機は、出湯量調節部と、流量検知部と、温度調整部と、出湯量変動部と、制御部とを備えている。出湯量調節部は、ユーザの手元での操作によりユーザの手元側の出湯口における出湯量を調節可能に、出湯口に湯水を送出する出湯回路に設けられている。流量検知部は、出湯量調節部の操作による出湯回路における流量変化を検知可能に設けられている。温度調整部は、流量検知部による流量変化の検知結果に応じて出湯口における出湯温度を調整可能に、出湯回路に設けられている。出湯量変動部は、温度調整部による出湯温度の調整が実行される場合に、出湯量を所定の変動態様で変動させるように、出湯回路に設けられている。制御部は、流量検知部による流量変化の検知結果を取得して、温度調整部および出湯量変動部の動作を制御するように設けられている。これにより、出湯温度の変更および変更確認の煩雑さが、良好に解消され得る。また、出湯温度の変更のための出湯量調節部の操作が有効に受け付けられたか否かを、迅速に確認することが可能となる。
【０１０４】
第２の観点によれば、制御部は、流量検知部が流量変化における所定の変化態様を検知した場合に、温度調整部を制御して変化態様に応じて出湯温度を所定態様で変更させるとともに、出湯量変動部を制御して出湯量を少なくとも１回脈動させる。したがって、ユーザは、出湯温度の変更を容易に確認することが可能となる。
【０１０５】
第３の観点によれば、制御部は、出湯量変動部を制御して、出湯量を少なくとも２回脈動させる。したがって、ユーザは、出湯温度の変更を容易に確認することが可能となる。
【０１０６】
第４の観点によれば、給湯機は、出湯量変動部による変動後の出湯量が、変動前と略一致するように構成されている。したがって、出湯温度の変更および変更確認のための動作に伴って、ユーザが意図しない流量変化が生じることが、良好に抑制され得る。
【０１０７】
第５の観点によれば、出湯回路は、屋外にて前記湯水を利用する屋外利用器具に湯水を供給可能に設けられた分岐出湯配管を有している。そして、出湯量調節部および出湯口は、分岐出湯配管に設けられている。したがって、ユーザは、屋外にて屋外利用器具を用いて湯水を利用する際に、出湯温度を手元で簡易に変更することができるとともに、出湯温度の変更を手元で容易に確認することが可能となる。
【符号の説明】
【０１０８】
３          給湯機
３４        湯水取出部（出湯口）
３５        内部配管部（出湯回路）
３５ｄ３    分岐出湯配管
３５ｓ      混合栓側温調弁（温度調整部）
３５ｕ      湯水取出弁（出湯量調節部）
３５ｖ      出湯量変動部
３６        貯湯側制御装置（制御部）
３８        流量センサ（流量検知部）
６０        屋外利用器具
【図１】
2020186901.tif 000003
【図２】
2020186901.tif 000004
【図３】
2020186901.tif 000005
【図４】
2020186901.tif 000006
【図５】
2020186901.tif 000007
【図６】
2020186901.tif 000008